(57)【要約】【課題】  水が装填された容器１と歯ブラシ２をセットして、これを持ち運ぶことにより、何時いかなる場所でも清潔かつ気持ちよく歯磨きができる歯磨きセットを提供する。【解決手段】  飲料水が装填された容器１の外周囲に歯ブラシ２を取り外し可能にセットした。【選択図】図1
2009056015.tif 000002
【特許請求の範囲】
【請求項１】
水が装填された容器の外周囲に、歯ブラシが取り外し可能に取り付けられている歯磨きセット。
【請求項２】
請求項１において、前記容器が筒形とされ、その外周囲の一部に高さ方向に延びる歯ブラシ保持溝が形成され、この保持溝に歯ブラシが差し込まれている歯磨きセット。
【請求項３】
請求項１において、前記容器が円筒形状とされ、その外周囲の一部に高さ方向に延びる歯ブラシ保持溝が形成され、この保持溝に包装袋で包装された歯ブラシが差し込まれて、包装袋と容器の外周囲にシュリンクフィルムが緊縮して被覆されている歯磨きセット。
【請求項４】
請求項１において、前記容器が円筒形の外周一部を平面で切り取った概略蒲鉾形状とされ、その外周一部の平面部に歯ブラシが取り付けられている歯磨きセット。
【請求項５】
請求項１において、前記容器が円筒形の外周一部を平面で切り取った概略蒲鉾形状とされ、その外周一部の平面部に歯ブラシを封入した包装袋が接合されて、この包装袋と容器の外周囲にシュリンクフィルムが緊縮して被覆されている歯磨きセット。
【請求項６】
請求項１において、前記容器が紙製の矩形箱であり、この矩形箱の側面に歯ブラシを封入した包装袋が接合されている歯磨きセット。
【請求項７】
請求項１において、前記容器が紙製の矩形箱であり、この矩形箱の側面に歯ブラシを封入した包装袋が接合されて、この包装袋と容器の外周囲にシュリンクフィルムが緊縮して被覆されている歯磨きセット。
【請求項８】
請求項１において、前記容器が筒形とされ、その外周囲の一部に凹入部が形成され、この凹入部に歯ブラシおよび歯磨き剤チューブを内装した歯ブラシケースが嵌め込まれている歯磨きセット。
【請求項９】
請求項１において、前記容器が円筒形とされ、その外周囲の一部に凹入部が形成され、この凹入部に歯ブラシおよび歯磨き剤チューブを内装した歯ブラシケースが嵌め込まれて、この歯ブラシケースと容器の外周囲にシュリンクフィルムが緊縮して被覆されている歯磨きセット。
【発明の詳細な説明】
【技術分野】
【０００１】
本発明は、飲料水が装填された容器と歯ブラシをセットして、これを持ち歩くことにより、何時いかなる場所でも歯磨きができるようにした歯磨きセットに関するものである。
【背景技術】
【０００２】
口内を清潔に保つために、口内洗浄液やガム・口臭予防清涼菓子が用いられている。ところが、これらによっては、歯ブラシを用いる場合のように、口内の十分な洗浄効果や爽快感は得られない。そこで、歯ブラシと歯磨き剤チューブを収容ケース内に組み込んでなる歯磨きセットが提案されており、これを持ち歩くことによって何時いかなる場所でも歯磨きが行える（特許文献１参照）。
【特許文献１】特開２０００−３０８５２５号公報
【発明の開示】
【発明が解決しようとする課題】
【０００３】
しかし、以上の歯磨きセットを用いて歯を磨くためには、食堂や会社などの化粧室の水やコップを利用する必要があって、使用者は抵抗を感じる。
【０００４】
そこで、本発明は、飲料水が装填された容器と歯ブラシを一体化しておくことにより、何時いかなる場所でも清潔かつ気持ちよく歯磨きができる歯磨きセットを提供することを目的とする。
【課題を解決するための手段】
【０００５】
上記目的を達成するために、本発明は、飲料水が装填された容器の外周囲に歯ブラシを取り外し可能に取り付けている。
【０００６】
食後に歯磨きするようなときには、容器から歯ブラシを取り外して歯を磨き、その後容器内に装填された水により口内をすすぎ洗いする。
【０００７】
本発明の一実施形態では、前記容器が筒形とされ、その外周囲の一部に高さ方向に延びる歯ブラシ保持溝が形成され、この保持溝に歯ブラシが差し込まれて取り外し可能に取り付けられている。この構成によれば、歯ブラシが容器の保持溝に差し込まれているので、うがい水と歯ブラシとを常に一体に持ち歩くことができ歯ブラシを容易に取り出せうがいをすることができる。好ましくは、保持溝に包装袋で包装された歯ブラシが差し込まれ、包装袋と容器の外周囲がシュリンクフィルム(熱収縮フィルム)で覆われている。この構成によれば、歯ブラシが容器の保持溝に差し込まれているので、一体に持ち歩くことができ歯ブラシを容易に取り出せ、しかも容器の外周囲がシュリンクフィルムで覆われて緊縮されているので、持ち歩くときに歯ブラシが勝手に取り外れることがない。また、歯磨き時には、歯ブラシを包装袋ごと前記保持溝から抜き取り、包装袋を破ることにより内部の歯ブラシを容易に取り出せる。
【０００８】
また、本発明の他の実施形態では、前記容器が筒形の外周一部を平面に切り取った概略蒲鉾形状とされ、その外周一部の平面部に歯ブラシを接着あるいは包持手段などにより接合する。好ましくは、前記容器は円筒形の外周一部を平面に切り取った概略蒲鉾形状とされ、その外周一部の平面部に歯ブラシを封入した包装袋が接合されて、この包装袋と容器の外周囲がシュリンクフィルムで覆われている。
さらに、他の実施形態では、前記容器が紙製の矩形箱であり、この矩形箱の側面に歯ブラシを接着あるいは包持手段などにより接合する。好ましくは、矩形箱の側面には歯ブラシを封入した包装袋が接合されて、この包装袋と容器の外周囲がシュリンクフィルムで覆われている。これにより、持ち歩くときに歯ブラシと飲料水とが常に一体を構成している。しかも勝手に取り外れることがない。また、歯磨き時には歯ブラシを容易に取り出せる。包装紙で包装した場合には、包装袋を破ることにより、内部の歯ブラシを容易に取り出せる。
【０００９】
さらに、本発明の他の実施形態では、前記容器が円筒形状とされ、その外周囲の一部に凹入部が形成され、この凹入部に歯ブラシおよび歯磨き剤チューブを内装した歯ブラシケースが嵌め込まれている。この構成によれば、持ち歩くときに歯ブラシを内装した歯ブラシケースを一体にしており、うがい水と歯ブラシとが常に一体を構成している。また、歯磨き時には、歯ブラシケースを容器から取り外すことにより、内部の歯磨き剤チューブや歯ブラシを容易に取り出せる。好ましくは、この歯ブラシケースと容器の外周囲がシュリンクフィルムで覆われている。この構成によれば、持ち歩くときに歯ブラシケースが勝手に取り外れるのを確実に防止できる。また、歯磨き時には、歯ブラシケースを容器から取り外すことにより、内部の歯磨き剤チューブや歯ブラシを容易に取り出せる。
【発明の効果】
【００１０】
以上の本発明にかかる歯磨きセットは、これを持ち運ぶことにより、常にうがい用となる水と歯ブラシとを一体にして保持しておくことができ、何時いかなる場所でも清潔かつ気持ちよく歯磨きができる。
【発明を実施するための最良の形態】
【００１１】
以下、本発明にかかる歯磨きセットを図面に基づいて説明する。図１は本発明の一実施形態にかかる歯磨きセットを示す正面図、図２はその容器の平面図、図３はセットされる歯ブラシの正面図である。図の歯磨きセットは、飲料水が装填されたペットボトルのような蓋１０を有する円筒形状の容器１と、その外周囲一部に取り外し可能に取り付けられる歯ブラシ２とから構成され、この歯ブラシ２は透明な包装袋２１内に封入されている。前記容器１には、その外周囲一部に上下高さ方向に延びる歯ブラシ保持溝１１が形成され、この保持溝１１に前記歯ブラシ２が包装袋２１ごと差し込まれている。また、前記包装袋２１と容器１の外周囲には、この容器１から歯ブラシ２が脱落するのを防止するために、商品名などが印刷されたシュリンクフィルム(熱収縮フィルム)３が緊縮して被覆されている。図の実施形態では、前記保持溝１１の両側縁で上下高さ方向複数個所に相対向する突起１２，１２を一体に設けて、これらの突起１２により歯ブラシ２が保持溝１１から外部に不測に抜け出るのを防止している。
【００１２】
以上のように、歯ブラシ２を包装袋２１ごと容器1の保持溝１１に差し込んで、容器１の外周囲をシュリンクフィルム３で覆うことにより、持ち歩くときに歯ブラシ２が勝手に取り外れることがない。また、歯磨き時には、歯ブラシ２を包装袋２１ごと前記保持溝１１から外部に抜き取り、包装袋２１を破って歯ブラシ２を取り出す。そして、歯磨きが終わった後には、容器１の蓋１０を取って、内部の水を口に含んですすぎ洗いする。この後、歯ブラシ２は使い捨てにし、また、容器１は使い捨てにするか、持ち歩いて残りの水を飲用に供する。
【００１３】
図４は本発明の別の実施形態にかかる歯磨きセットを示す正面図、図５はその容器の平面図である。この図の実施形態では、容器１が円筒形の外周一部を切り取った蒲鉾形状とされ、その外周一部の平面部１３の上下複数個所に歯ブラシ２を封入した包装袋２１が接着剤１４により接合され、この包装袋２１と容器１の外周囲にはシュリンクフィルム３が緊縮して被覆されている。
【００１４】
また、図６は本発明のさらに別の実施形態にかかる歯磨きセットを示す正面図である。この図の実施形態では、容器として紙製の矩形箱1が用いられ、この矩形箱１の側面の上下複数個所に歯ブラシ２が封入された包装袋２１を接着剤１４により接合し、この包装袋２１と容器１の外周囲にシュリンクフィルムが緊縮して被覆されている。
【００１５】
これらの実施形態では、蒲鉾形状とされた容器１の平面部１３および矩形箱１の側面の上下複数個所に歯ブラシ２を封入した包装袋２１が接着剤１４により接合され、かつ、包装袋２１と容器１の外周囲にシュリンクフィルム３が緊縮して被覆されているので、前述した場合と同様に、持ち歩くときに歯ブラシが勝手に取り外れることがない。また、歯磨き時には、包装袋２１を破ることにより、内部の歯ブラシ２を容易に取り出せる。そして、歯磨き後には容器１内の水により口内のすすぎ洗いを行う。
【００１６】
図７は本発明のさらに別の実施形態にかかる歯磨きセットを示す正面図、図８は平面図である。この図の実施形態では、図１の実施形態の場合と同様に前記容器１が円筒形状とされ、その外周囲の一部に高さ方向に延びる凹入部１５が形成され、この凹入部１５に歯ブラシ２および歯磨き剤チューブ２２を内装した歯ブラシケース２３が嵌め込まれて、これらは歯ブラシケース２３と容器１の外周囲にはシュリンクフィルム３が緊縮して被覆されている。このとき、前記歯ブラシケース２３は凹入部１５に圧入状に嵌め込むことが好ましい。
【００１７】
この実施形態では、歯ブラシ２および歯磨き剤チューブ２２を内装した歯ブラシケース２３が容器１に形成した凹入部１５に差し込まれ、かつ、この歯ブラシケース２３と容器１の外周囲にシュリンクフィルム３が緊縮して被覆されているので、持ち歩くときに歯ブラシケース２３が勝手に取り外れることがない。また、歯磨き時には、歯ブラシケース２３を容器１から取り外し、同時に内部の歯ブラシ２と歯磨き剤チューブ２２を取り出して歯磨きを行い、歯磨き後には容器１内の水により口内のすすぎ洗いを行う。
【図面の簡単な説明】
【００１８】
【図１】本発明の一実施形態にかかる歯磨きセットの正面図である。
【図２】その容器の平面図である。
【図３】容器にセットされる歯ブラシの正面図である。
【図４】本発明の別の実施形態にかかる歯磨きセットの正面図である。
【図５】その容器の平面図である。
【図６】本発明のさらに別の実施形態にかかる歯磨きセットの正面図である。
【図７】本発明のさらに別の実施形態にかかる歯磨きセットの正面図である。
【図８】その容器と歯ブラシケースとの平面図である。
【符号の説明】
【００１９】
１    容器
１１  歯ブラシ保持溝
１３  平面部
１５  凹入部
２    歯ブラシ
２１  包装袋
２３  歯磨き剤チューブ
３    シュリンクフィルム
【図１】
2009056015.tif 000003
【図２】
2009056015.tif 000004
【図３】
2009056015.tif 000005
【図４】
2009056015.tif 000006
【図５】
2009056015.tif 000007
【図６】
2009056015.tif 000008
【図７】
2009056015.tif 000009
【図８】
2009056015.tif 000010